(57)【要約】【課題】  冷媒の流れを調節する調節部材から冷蔵庫に振動が伝わることで発生する音を、従来よりも低減させる仕組みを提供することを目的とする。【解決手段】  冷媒の流れを調節する調節部材を冷蔵庫に取り付けるための取付部材５０１は、調節部材を取付部材５０１に取り付ける第１の面６０１と、取付部材５０１を冷蔵庫に取り付ける第２の面６０２と、第１の面６０１と第２の面６０２とを繋げる接続部６０３とで少なくとも構成される。更に、第１の面６０１は第２の面６０２に対して略直交する向きであり、接続部６０３はＵ字形状である。【選択図】  図６
2019124368.tif 000002
【特許請求の範囲】
【請求項１】
冷媒の流れを調節する調節部材を冷蔵庫に取り付けるための取付部材であって、
前記調節部材を前記取付部材に取り付ける第１の面と、前記取付部材を前記冷蔵庫に取り付ける第２の面と、前記第１の面と前記第２の面とを繋げる接続部とで少なくとも構成され、
前記第１の面は前記第２の面に対して略直交する向きであり、前記接続部はＵ字形状であることを特徴とする取付部材。
【請求項２】
前記第２の面の上端は、前記調節部材よりも上方に位置し、
前記第２の面の上方に、前記取付部材を前記冷蔵庫に取り付けるための取付機構が設けられていることを特徴とする請求項１に記載の取付部材。
【請求項３】
冷媒の流れを切り替える三方弁を冷蔵庫に取り付けるための取付部材であって、
前記三方弁を前記取付部材に取り付ける第１の面と、前記取付部材を前記冷蔵庫に取り付ける第２の面と、前記第１の面と前記第２の面とを繋げる接続部とで少なくとも構成され、
前記第１の面は前記第２の面に対して略直交する向きであり、前記接続部はＵ字形状であることを特徴とする取付部材。
【請求項４】
前記第２の面の上端は、前記三方弁よりも上方に位置し、
前記第２の面の上方に、前記取付部材を前記冷蔵庫に取り付けるための取付機構が設けられていることを特徴とする請求項１に記載の取付部材。
【請求項５】
前記取付機構は、ネジ穴であることを特徴とする請求項２又は４に記載の取付部材。
【請求項６】
冷蔵庫であって、
冷媒の流れを調節する調節部材と、
前記調節部材を前記冷蔵庫に取り付ける取付部材とを備え、
前記取付部材は、前記調節部材を前記取付部材に取り付ける第１の面と、前記取付部材を前記冷蔵庫に取り付ける第２の面と、前記第１の面と前記第２の面とを繋げる接続部とで少なくとも構成され、
前記第１の面は前記第２の面に対して略直交する向きであり、前記接続部はＵ字形状であることを特徴とする冷蔵庫。
【請求項７】
前記第２の面の上端は、前記調節部材よりも上方に位置し、
前記第２の面の上方に、前記取付部材を前記冷蔵庫に取り付けるための取付機構が設けられていることを特徴とする請求項６に記載の冷蔵庫。
【請求項８】
前記取付機構は、ネジ穴であることを特徴とする請求項７に記載の冷蔵庫。
【請求項９】
前記調節部材は、冷媒の流れを切り替える三方弁であることを特徴とする請求項６乃至８のいずれか１項に記載の冷蔵庫。
【請求項１０】
前記三方弁には、第１の冷媒配管、第２の冷媒配管、第３の冷媒配管が接続し、
前記第１の冷媒配管には、第４の冷媒配管が接続し、前記第２の冷媒配管には、第５の冷媒配管が接続し、前記第３の冷媒配管には、第６の冷媒配管が接続し、
前記第４の冷媒配管と第５の冷媒配管と前記第６の冷媒配管は、それぞれ異なる方向に曲がる形状であることを特徴とする請求項１乃至６のいずれか１項に記載の冷蔵庫。
【発明の詳細な説明】
【技術分野】
【０００１】
本発明は、冷媒の流れを調節する調節部材を冷蔵庫に取り付けるための取付部材、及び、当該取付部材を備える冷蔵庫に関する。
【背景技術】
【０００２】
一般的に、冷蔵庫は、圧縮機、コンデンサ、冷却機等で構成される冷凍サイクルを備え、この冷凍サイクルで冷媒を循環させることで冷却運転を行う。また、近年の冷蔵庫には、冷媒の流量を調節する調節部材や、冷媒の流路を第１の冷媒配管から第２の冷媒配管に切り替える調節部材を備えるものもある。特許文献１には、調節部材として、冷媒の流路を切り替える三方弁を備える冷蔵庫が開示されている。特許文献１の冷蔵庫は、ゴムを介して三方弁が冷蔵庫に取り付けられる。
【先行技術文献】
【特許文献】
【０００３】
【特許文献１】特開２００１−０９９５４１号公報
【発明の概要】
【発明が解決しようとする課題】
【０００４】
特許文献１には、三方弁のモータ部が駆動した場合に生じる水平方向の振動をゴムで吸収する、と開示されている。しかしながら、特許文献１の構成では、三方弁の取り付けに用いるネジを介して、三方弁から生じる振動が冷蔵庫に伝わってしまう。即ち、特許文献１の構成では、ゴムによって吸収しきれない振動が三方弁から冷蔵庫に伝わってしまい、この振動によってユーザが不快に感じる音が冷蔵庫から発生してしまうという課題がある。
【０００５】
そこで本発明では、冷媒の流れを調節する調節部材から冷蔵庫に振動が伝わることで発生する音を、従来よりも低減させる仕組みを提供することを目的とする。
【課題を解決するための手段】
【０００６】
上述した課題を解決するために、本発明が提供する取付部材は、冷媒の流れを調節する調節部材を冷蔵庫に取り付けるための取付部材であって、前記調節部材を前記取付部材に取り付ける第１の面と、前記取付部材を前記冷蔵庫に取り付ける第２の面と、前記第１の面と前記第２の面とを繋げる接続部とで少なくとも構成され、前記第１の面は前記第２の面に対して略直交する向きであり、前記接続部はＵ字形状であることを特徴とする。
【０００７】
また、本発明が提供する取付部材は、冷媒の流れを切り替える三方弁を冷蔵庫に取り付けるための取付部材であって、前記三方弁を前記取付部材に取り付ける第１の面と、前記取付部材を前記冷蔵庫に取り付ける第２の面と、前記第１の面と前記第２の面とを繋げる接続部とで少なくとも構成され、前記第１の面は前記第２の面に対して略直交する向きであり、前記接続部はＵ字形状であることを特徴とする。
【０００８】
また、本発明が提供する冷蔵庫は、冷媒の流れを調節する調節部材と、前記調節部材を前記冷蔵庫に取り付ける取付部材とを備え、前記取付部材は、前記調節部材を前記取付部材に取り付ける第１の面と、前記取付部材を前記冷蔵庫に取り付ける第２の面と、前記第１の面と前記第２の面とを繋げる接続部とで少なくとも構成され、前記第１の面は前記第２の面に対して略直交する向きであり、前記接続部はＵ字形状であることを特徴とする。
【発明の効果】
【０００９】
本発明によれば、冷媒の流れを調節する調節部材から冷蔵庫に振動が伝わることで発生する音を、従来よりも低減させることができる。
【図面の簡単な説明】
【００１０】
【図１】冷蔵庫１００の外観を示す図である。
【図２】冷蔵庫１００の縦断面を示す図である。
【図３】冷凍サイクルを示す図である。
【図４】第２の機械室２０７を示す図である。
【図５】三方弁３０１を示す図である。
【図６】取付部材５０１と三方弁３０１の構造を示す図である。
【発明を実施するための形態】
【００１１】
以下、本発明の実施形態について、図面を用いて説明する。なお、以下の実施形態は特許請求の範囲に係る発明を限定するものでなく、また実施形態で説明されている特徴の組み合わせの全てが発明の解決手段に必須のものとは限らない。
（実施形態）
図１は冷蔵庫１００の外観を示す図、図２は冷蔵庫１００の縦断面を示す図である。冷蔵庫１００は、金属製（例えば鉄板）の外箱と、硬質樹脂製（例えばＡＢＳ）の内箱と、外箱と内箱との間に充填した発泡断熱材（例えば硬質ウレタン）とで構成される。冷蔵庫１００は、冷蔵室２００、切替室２０１、製氷室２０２、冷凍室２０３、野菜室２０４とで構成される複数の貯蔵室を備える。図１の扉１０１、１０２、１０３、１０４、１０５は、それぞれ冷蔵室２００、切替室２０１、製氷室２０２、冷凍室２０３、野菜室２０４を開閉するための扉である。
【００１２】
冷蔵室２００は、冷蔵保存のために、保存物が凍らない冷蔵温度帯に設定されている。野菜室２０４は、野菜の保存に適した温度として、冷蔵室２００よりやや高い温度帯に設定されている。冷凍室２０３は、冷凍保存のために、冷凍温度帯に設定されている。切替室２０１の温度帯は、複数の温度帯の中からユーザが所望の温度帯に切り替えることができる。
【００１３】
また、冷蔵庫１００は、冷蔵庫１００の上部に位置する第１の機械室２０５、冷蔵庫１００の下部に位置する第２の機械室２０７、冷蔵庫１００の背面に位置する冷却室２０８を備える。冷却室２０８には、冷気を生成する冷却器２０９や、冷却器２０９に付着した霜を除去するための除霜ヒータ等が収容されている。第１の機械室２０５には、圧縮機２０６等が収用されている。第２の機械室２０７には、後述する三方弁３０１、除霜皿４０１、除霜ファン４０２等が収容されている。
【００１４】
次に図３を用いて、冷蔵庫１００が備える冷凍サイクルについて説明する。冷蔵庫１００が備える冷凍サイクルは、圧縮機２０６と、コンデンサ３０２と、放熱パイプ３０３、３０４、３０５と、キャピラリーチューブ３０８、３０９、３１１と、冷却器２０９と、サクションパイプ３１２とで構成される。冷蔵庫１００は、この冷凍サイクルに冷媒を封入して冷却運転を行う。
【００１５】
放熱パイプ３０３は、三方弁３０１を介して放熱パイプ３０４と放熱パイプ３０５とに分岐する。放熱パイプ３０４は冷蔵庫１００の前面に設けられていて、放熱パイプ３０５は冷蔵庫１００の背面又は側面に設けられている。冷蔵庫１００には、外気の温度や湿度を検知するセンサが設けられている。冷蔵庫１００は、これらのセンサの検出結果に基づいて、冷蔵庫１００の正面開口部に結露が発生しやすい状態であるか否かを判定する。通常、冷媒は放熱パイプ３０５を流れているが、結露が発生しやすい状態であると判定されると、三方弁３０１は、放熱パイプ３０４に冷媒が流れるように、冷媒の流路を切り替える。放熱パイプ３０４に冷媒を流すことで、冷蔵庫１００の正面開口部に結露が発生することを防止できる。三方弁３０１は、複数の冷媒配管（本実施形態では放熱パイプ３０４と放熱パイプ３０５）の中から、冷媒を流す冷媒配管を選択する調節部材の一例である。
【００１６】
放熱パイプ３０４は、ストレーナ３０６を介してキャピラリーチューブ３０８に接続する。また、放熱パイプ３０５は、ストレーナ３０７を介してキャピラリーチューブ３０９に接続する。キャピラリーチューブ３０８とキャピラリーチューブ３０９は、ジョイント機構３１０に接続する。ジョイント機構３１０の出口部にはキャピラリーチューブ３１１が接続されていて、ジョイント機構３１０によって二つの冷媒の流路が一つの流路に合流する。キャピラリーチューブ３１１は冷却器２０９に接続し、冷却器２０９を出た冷媒はサクションパイプ３１２を介して圧縮機２０６に戻る。
【００１７】
次に図４を用いて、第２の機械室２０７を説明する。第２の機械室２０７には、冷媒の流れを調節する三方弁３０１、除霜ヒータの除霜によって発生した除霜水を貯める除霜皿４０１、除霜皿に溜まった除霜水を蒸発させるための除霜ファン４０２等が収容されている。
【００１８】
次に図５を用いて、三方弁３０１を詳しく説明する。三方弁３０１は、取付部材５０１によって冷蔵庫１００（本実施形態では第２の機械室２０７の壁面）に取り付けられている。冷媒配管５０２は放熱パイプ３０３の一部であり、冷媒が冷媒配管５０２から三方弁３０１に流入する。冷媒配管５０３は放熱パイプ３０４の一部であり、また、冷媒配管５０４は放熱パイプ３０５の一部である。三方弁３０１は、冷媒配管５０３と冷媒配管５０４の中から、冷媒を流す冷媒配管を選択する。具体的に説明すると、通常の状態では、三方弁３０１は、冷媒を流す冷媒配管として冷媒配管５０４を選択する。一方、冷蔵庫１００の正面開口部に結露が発生しやすい状態であれば、三方弁３０１は、冷媒を流す冷媒配管として冷媒配管５０３を選択する。
【００１９】
次に図６を用いて、取付部材５０１と三方弁３０１の構造を詳しく説明する。取付部材５０１は、第１の面６０１、第２の面６０２、接続部６０３とで構成される。第１の面６０１には、三方弁３０１が取り付けられる。三方弁３０１は、ゴム材料で形成される弾性部材６０５を介した状態で、ネジ６０６によって第１の面６０１に取り付けられている。弾性部材６０５によって、後述する三方弁３０１の振動が第１の面６０１に伝わりにくくなる。また、第２の面６０２の上方には、取付機構６０４（例えばネジ穴）が設けられていている。この取付機構６０４によって、第２の面６０２が冷蔵庫１００（本実施形態では第２の機械室２０７の壁面）に取り付けられる。また、第１の面６０１と第２の面６０２とを繋げる接続部６０３は、Ｕ字形状である。接続部６０３をＵ字形状にすることで、後述する三方弁３０１の振動が冷蔵庫１００に伝わりにくくなる。
【００２０】
三方弁３０１はモータ駆動のため、例えば冷媒の流路を切り替える動作を三方弁３０１が行う際に、振動が発生する。本実施形態では、第１の面６０１が第２の面６０２に対して略直交する向きであるため、第１の面６０１と第２の面６０２がそれぞれ異なる向きに撓むことになる。即ち、第１の面６０１と第２の面６０２が、三方弁３０１から生じる水平方向の振動と垂直方向の振動の両方を吸収することになり、三方弁３０１の振動が冷蔵庫１００に伝わりにくくなる。また、第２の面６０２の取付機構６０４は三方弁３０１よりも上方に設けられているため、第２の面６０２は、三方弁３０１から生じる振動をより多く吸収できる。
【００２１】
また、接続部６０３をＵ字形状にすることで、接続部６０３を設けずに第１の面６０１を第２の面６０２に直接繋げる場合に比べて、三方弁３０１から取付機構６０４までの距離を長くできる。三方弁３０１から取付機構６０４までの距離を長くすることで、三方弁３０１の振動が冷蔵庫１００に伝わりにくくなる。
【００２２】
三方弁３０１の下部に接続している冷媒配管６０８と、冷媒配管６０８に接続している冷媒配管６０７は、図５の冷媒配管５０２に対応する。また、三方弁３０１の下部に接続している冷媒配管６１０と、冷媒配管６１０に接続している冷媒配管６０９は、図５の冷媒配管５０３に対応する。また、三方弁３０１の下部に接続している冷媒配管６１２と、冷媒配管６１２に接続している冷媒配管６１１は、図５の冷媒配管５０４に対応する。冷媒配管６０７と冷媒配管６０９と冷媒配管６１１は、それぞれ異なる方向に曲がる形状である。具体的に説明すると、冷媒配管６０７は、冷蔵庫１００の正面から見て左右方向に曲がっている。また、冷媒配管６０９は、冷蔵庫１００の正面から見て斜め方向に曲がっている。また、冷媒配管６１１は、冷蔵庫１００の正面から見て前後方向に曲がっている。冷媒配管６０７と冷媒配管６０９と冷媒配管６１１がそれぞれ異なる方向に曲がっていることで、様々な向きの三方弁３０１の振動が冷媒配管に吸収され、三方弁３０１の振動が冷媒配管を介して冷蔵庫１００に伝わりにくくなる。
【００２３】
以上の説明の通り、第１の面６０１を第２の面６０２に対して略直交する向きにし、かつ、第１の面６０１と第２の面６０２とを繋げる接続部６０３をＵ字形状にすることで、三方弁３０１の振動が冷蔵庫１００に伝わることを抑制できる。また、三方弁３０１の振動が冷蔵庫１００に伝わることを抑制することで、三方弁３０１の振動が冷蔵庫１００に伝わることで発生する音を低減することができる。
【００２４】
なお、本実施形態の取付部材５０１は金属製であることを想定しているが、樹脂等の他の材料で取付部材５０１を実現しても良い。また、三方弁３０１に限らず、他の種類の調節部材、例えば冷媒の流量を調節する調節部材を冷蔵庫１００に取り付ける際に、取付部材５０１を用いても良い。また、三方弁３０１のような調節部材を冷蔵庫１００に取り付ける場所も、第２の機械室２０７に限らず、第１の機械室２０５や、冷蔵室２００等の貯蔵室の内部であっても良い。
【産業上の利用可能性】
【００２５】
本発明は、家庭用の冷蔵庫や冷凍庫、業務用の冷蔵庫や冷凍庫に適用できる。
【符号の説明】
【００２６】
１００  冷蔵庫
３０１  三方弁
５０１  取付部材
６０１  第１の面
６０２  第２の面
６０３  接続部
６０４  取付機構
【図１】
2019124368.tif 000003
【図２】
2019124368.tif 000004
【図３】
2019124368.tif 000005
【図４】
2019124368.tif 000006
【図５】
2019124368.tif 000007
【図６】
2019124368.tif 000008